(57)【要約】      （修正有）【課題】別パーツを糊付けせずに立体形状を作り出す立体カードにおいて、使用する紙の坪量を低減させても、形状保持性の高い立体カードを提供する。【解決手段】紙基材１の少なくとも片面にアルミニウム箔２を貼り合わせ、該基材に切り込みを入れて、折り上げることで立体形状を作り出す。該アルミニウム箔の厚さは６〜２００μｍである。貼り合わせる紙基材の坪量は３０〜１５０ｇ／ｍ２である。紙基材は模様紙である。前記紙基材とアルミニウム箔の貼り合わせが接着剤３または溶融樹脂により接合されている。【選択図】図１
0003139578.tif 000002
【実用新案登録請求の範囲】
【請求項１】
紙基材の少なくとも片面にアルミニウム箔を貼り合わせたカード用基材であって、該基材に切り込みを入れて、折り上げることで立体形状を作り出すことを特徴とする立体カード。
【請求項２】
前記アルミニウム箔の厚さが、６〜２００μｍであることを特徴とする請求項１記載の立体カード。
【請求項３】
前記紙基材の坪量が、３０〜１５０ｇ／ｍ２であることを特徴とする請求項１記載の立体カード。
【請求項４】
前記紙基材が、模様紙であることを特徴とする請求項１記載の立体カード。
【請求項５】
前記紙基材とアルミニウム箔の貼り合わせが接着剤または溶融樹脂により接合されていることを特徴とする請求項１記載の立体カード。
【考案の詳細な説明】
【技術分野】
【０００１】
本考案は、カードに切れ目を入れて折り曲げ、立体形状を作り出す立体カードに関するものであり、特に、折り紙建築と言われるような造形を作り出し、形状保持性や寸法安定性に優れる立体カードに関するものである。
【背景技術】
【０００２】
フラットに閉じたカードを広げると、立体的な形状が立ち上がるポップアップカードは、特許文献１および２に開示されているように、より機能性を増している。通常のポップアップカードのほとんどが別パーツを貼り付けることによって、立体形状が作り出されている。一方、別パーツを貼り付けて立体形状を作り出すカードとは別に、一枚の紙（基材）を切ったり、折ったりするだけで、立体形状を作り出すものがあり、「折り紙建築」と言われている。これら「折り紙建築」と言われる立体カードは、その形状のきれいさから、室内に置いてインテリアとしても使用されるようになっている。室内にこのような立体カードを置いておいた場合、室内の温度や湿度変化によって形状が変形してしまい易いという問題がある。また、別パーツを貼り付けずに、立体形状を保持するためには、紙基材自体がしっかりとした紙でなくてはならず、紙基材の坪量が２００ｇ／ｍ２以上と高く、厚くて硬い紙にせざるを得ない。しかしながら、そのような厚紙を使用したとしても、紙であるため、室内にインテリアとしておいた場合、温湿度の変化によって、形状が変形しやすいという問題があった。また、特許文献３には、アルミニウム箔を貼り付けた装飾紙としてグリーティングカードにするものがあるが、これは型押しによって模様を浮き上がらせるためのものであり、本考案とは異なる。
【特許文献１】特開平７−２２８０７８号公報
【特許文献２】実用新案第３０５５０１０号公報
【特許文献３】実用新案第２５５５４７７号公報
【考案の開示】
【考案が解決しようとする課題】
【０００３】
別パーツの貼り付けなどをせずに、切れ目を入れて、折り曲げることで立体形状を作り出す立体カードであり、紙基材の坪量を低くしても、立体保持性が高く、環境条件（温湿度）によって変形しにくい立体カードを提案する。
【課題を解決するための手段】
【０００４】
本考案者らは、上記課題を解決するため、鋭意研究を行った結果、下記の立体カードを考案するに至った。
すなわち、考案の第１は、紙基材の少なくとも片面にアルミニウム箔を貼り合わせたカード用基材に切り込みを入れて、折り上げることで立体形状を作り出す立体カードである。考案の第２は、該アルミニウム箔の厚さが６〜２００μｍである。考案の第３は、貼り合わせる紙基材の坪量が３０〜１５０ｇ／ｍ２である。考案の第４は、貼り合わせる紙基材が模様紙である。考案の第５は、前記紙基材とアルミニウム箔の貼り合わせが接着剤または溶融樹脂により接合されている立体カードである。
【考案の効果】
【０００５】
本考案の立体カードは、立体形状の保持性が高く、環境変化によっても変形しにくい。また、紙基材を所望するデザインに合わせ、種々選択して貼り合わせることにより、従来のものより、さらにインテリア性を持たせることができる。
【考案を実施するための最良の形態】
【０００６】
本考案は、紙基材の少なくとも片面にアルミニウム箔を貼合したものを立体カード用の基材とする。アルミニウム箔の厚さは、６〜２００μｍであることが好ましい。アルミニウム箔は、通常６μｍ以上が汎用タイプであり、６μｍ未満では、特殊用途向けで高価となり、立体カードに使用するには適さないだけでなく、形状保持性の効果も不充分となるおそれがある。また、２００μｍを超えて厚くした場合、カード用基材全体の質量が重くなり、扱いにくくなるおそれがある。また、紙基材の片面にのみアルミニウム箔を貼合する場合には、アルミニウム箔の表面が見えることから、貼合するアルミニウム箔には、色の付いた着色アルミニウム箔を使用してもよい。紙基材をアルミニウム箔と貼合する方法としては、接着剤による接合が好適であるが、溶融樹脂による接合着等、特に限定されるものではない。前記接着剤、溶融樹脂としては、ポリエチレン樹脂、ポリプロピレン樹脂、ポリエステル樹脂、エチレン−酢酸ビニル共重合体樹脂、ナイロン樹脂、エチレン−アクリル酸共重合体樹脂、ポリウレタン樹脂、アクリル酸エステル共重合体樹脂、ポリ酢酸ビニル樹脂、天然ゴム系樹脂、スチレン−ブタジエン共重合体樹脂等の合成ゴム系樹脂等を挙げることができる。ここで、該接着剤層を形成する方法としては、例えばウェットラミネート法、ドライラミネート法、ソルベントラミネート法、ホットメルトラミネート法、エクストルージョンラミネート法が挙げられる。ただし、より形状保持性を高めるためには、貼合に使用する接着剤や、溶融樹脂は硬いものが好ましい。接着剤、溶融樹脂の塗布量は一般に固形分質量で３〜１００ｇ／ｍ２程度であるが、塗布量が多い程硬直性（こし）のある立体カードが得られる。使用する紙基材は、形状保持性はアルミニウム箔をカード用基材の使用することで発現させていることから、紙基材自体の坪量を高くする必要がなく、３０〜１５０ｇ／ｍ２で良い。市販されている「折り紙建築」に使用されている紙は、２５０ｇ／ｍ２程度の厚紙であるので、使用する紙基材の坪量を低減させることができる。３０ｇ／ｍ２未満の紙基材では、アルミニウム箔への貼合がしにくく、形状保持性をアルミニウム箔で保持しているのであれば、紙基材の坪量を１５０ｇ／ｍ２を超えて高くする必要はない。また、インテリア性を重視した場合、使用する紙基材は、色、柄、模様のきれいな模様紙やグラシン紙のような透明性を有する薄葉紙、印刷処理を施したものなど、その所望するデザインに合わせ適宜選択して使用すると良い。特に、模様紙は、その色柄のきれいさから好適に使用される。
このようにして得られたカードに所望する立体形状に合わせ切り込みを入れ、折り曲げることとで、立体カードを作成する。本考案では、立体形状を作るために、別パーツを糊付けするものではない。また、立体形状については、特にその形状を限定するものではない。
【実施例】
【０００７】
以下実施例により本考案をさらに詳しく説明する。
実施例及び比較例における％、部は、特に断りのない限り質量％、質量部を表す。
【０００８】
＜実施例１＞
厚さ７μｍの青色着色アルミニウム箔に、ポリ酢酸ビニル樹脂系接着剤（塗布量：２０ｇ／ｍ２）で、坪量１０５ｇ／ｍ２の模様紙を貼合し、所定の大きさに断裁し、立体カード用の基材を得た。このカードに、着色アルミニウム箔が表になって、立体的な建物形状が立ち上がるような切込み、折り曲げをして、立体カードを作製した。この立体カードを２３℃５０％ＲＨの雰囲気下から、４０℃８０％ＲＨの雰囲気下においた場合の形状保持性を目視評価した。
【０００９】
＜実施例２＞
厚さ７μｍのアルミウム箔の両面に、ポリ酢酸ビニル樹脂系接着剤（塗布量：２０ｇ／ｍ２）で、坪量８１ｇ／ｍ２の模様紙を貼合し、所定の大きさに断裁し、立体カード用の基材を得た。このカードに、立体的な建物形状が立ち上がるような切込み、折り曲げをして、立体カードを作製した。この立体カードを２３℃５０％ＲＨの雰囲気下から、４０℃８０％ＲＨの雰囲気下に置いた場合の形状保持性を目視評価した。
【００１０】
＜実施例３＞
厚さ９５μｍのアルミニウム箔の両面に、ポリ酢酸ビニル樹脂系接着剤（塗布量：２０ｇ／ｍ２）で、坪量３５ｇ／ｍ２のグラシン紙を貼合し、所定の大きさに断裁して、立体カード用の基材を得た。このカードに立体的な建物形状が立ち上がるような切込み、折り曲げをして、立体カードを作製した。この立体カードを２３℃５０％の雰囲気下から、４０℃８０％の雰囲気下に置いた場合の形状保持性を目視評価した。
【００１１】
＜比較例１＞
アルミニウム箔を貼合していない坪量２２０ｇ／ｍ２の紙基材で立体形状を作り、実施例１と同様の環境試験を実施し、形状保持性を目視評価した。高湿下では、徐々に形状が変形した。
【００１２】
評価方法
立体カードを２３℃５０％の雰囲気下から、４０℃８０％の雰囲気下においた場合の形状保持性を目視評価した。
○：立体形状の変形は全く見られない。
△：立体形状はやや変形が見られるものの、問題のないレベルである。
×：立体形状が変形してしまい、見栄えが悪い。
【００１３】
【表１】
0003139578.tif 000003
【図面の簡単な説明】
【００１４】
【図１】本考案に係る紙基材の両面にアルミニウム箔を貼合した場合の立体カード基材の断面図である。
【図２】本考案に係る立体カードの切り込み平面図である。
【符号の説明】
【００１５】
１・・・・紙基材
２・・・・アルミニウム箔
３・・・・接着剤層
４・・・・実線は切り込み
５・・・・波線は折り込み
【図１】
0003139578.tif 000004
【図２】
0003139578.tif 000005